(57)【要約】【課題】組付性を向上することができ、低コスト化することができるバッテリ端子を提供する。【解決手段】一対の板状部材３，３を有する本体部５と、バッテリポストが挿通されるポスト孔９，９と、スリット１１，１１と、一対の板状部材３，３間に配置されるコ字状に形成されたプレート１３とを備えたバッテリ端子１において、プレート１３の一端側に、頭部１５がプレート１３の内部に保持されナット１７が締結される締結部１９がプレート１３の外部で本体部５と当接可能に配置されたボルト２１を配置し、プレート１３とナット１７との間に、ナット１７の締結により一対の板状部材３，３をプレート１３の一端側から他端側に向けて押圧するブラケット２３を配置し、プレート１３の他端側に、一対の板状部材３，３と係合しブラケット２３による一対の板状部材３，３への押圧力を受けスリット１１を狭める保持部２５を設けた。【選択図】図２
2019121525.tif 000002
【特許請求の範囲】
【請求項１】
一対の板状部材を有する本体部と、
前記一対の板状部材にそれぞれ設けられバッテリポストが挿通されるポスト孔と、
前記一対の板状部材にそれぞれ設けられ端部から前記ポスト孔まで連通されたスリットと、
前記一対の板状部材間に配置され前記スリットを挟んで前記一対の板状部材の両端部に配置されるコ字状に形成されたプレートと、
前記プレートの一端側に配置され頭部が前記プレートの内部に保持されナットが締結される締結部が前記プレートの外部で前記本体部と当接可能に配置されたボルトと、
前記プレートと前記ナットとの間に配置され前記ナットの締結により前記一対の板状部材を前記プレートの一端側から他端側に向けて押圧するブラケットと、
前記プレートの他端側に設けられ前記一対の板状部材と係合し前記ブラケットによる前記一対の板状部材への押圧力を受け前記スリットを狭める保持部と、
を有することを特徴とするバッテリ端子。
【請求項２】
請求項１記載のバッテリ端子であって、
前記プレートは、弾性変形可能に形成され、自由端側を近接する方向に変形させて前記一対の板状部材間に自由端側から挿入され、
前記保持部は、前記プレートの自由端を基端側に向けて折り返してフック状にそれぞれ形成され前記プレートの復元により前記一対の板状部材間から前記プレートが離脱する方向に前記一対の板状部材に係合されていることを特徴とするバッテリ端子。
【請求項３】
請求項１又は２記載のバッテリ端子であって、
前記ブラケットは、前記ナットの締結により前記一対の板状部材を押圧する押圧面と、前記ナットの締結により前記押圧面に押圧力を付与するテーパ面とを有し、
前記ボルトの頭部には、前記プレートの外部に配置され前記ブラケットのテーパ面と係合し前記ナットの締結力を前記押圧面の押圧力に変換する被テーパ面が設けられていることを特徴とするバッテリ端子。
【発明の詳細な説明】
【技術分野】
【０００１】
本発明は、バッテリ端子に関する。詳細には、バッテリのバッテリポストに接続されるバッテリ端子に関する。
【背景技術】
【０００２】
従来、バッテリ端子としては、一対の板状部材としての上側分割体と下側分割体とを有する本体部と、上側分割体と下側分割体とにそれぞれ設けられバッテリポストが挿通されるポスト孔と、上側分割体と下側分割体とにそれぞれ設けられ端部からポスト孔まで連通されたスリットと、上側分割体と下側分割体との間に配置されスリットを挟んで上側分割体と下側分割体の両端部に配置される貫通板と、貫通板の一端側に設けられた螺合孔に締結されるボルトと、ボルトの締結により上側分割体と下側分割体とを貫通板の一端側から他端側に向けて押圧するブラケットとしての押圧力変換部材とを備えたものが知られている（例えば、特許文献１参照）。
【０００３】
このバッテリ端子では、貫通板の他端側に、上側分割体と下側分割体とに当接し、押圧力変換部材による上側分割体と下側分割体への押圧力を受け、上側分割体と下側分割体のスリットを狭める抜け止め部が設けられている。
【０００４】
このようなバッテリ端子では、上側分割体と下側分割体のポスト孔がバッテリポストに挿通された状態で、貫通板の螺合孔にボルトを締結することにより、押圧変換部材と抜け止め部とで上側分割体と下側分割体のスリットが狭められ、バッテリ端子がバッテリポストに固定される。
【先行技術文献】
【特許文献】
【０００５】
【特許文献１】特開２０１６−９１７８３号公報
【発明の概要】
【発明が解決しようとする課題】
【０００６】
ところで、上記特許文献１のようなバッテリ端子では、一対の板状部材間に貫通板が挿通されているだけであるので、ボルトが締結されていない状態で、抜け止め部によって貫通板の一方側への抜け止めを行うことができるが、他方側への抜け止めを行うことができなかった。
【０００７】
このため、バッテリ端子をバッテリポストに固定する前の状態では、本体部から貫通板が脱落する恐れがあり、組付性が低下していた。
【０００８】
また、貫通板は、ボルトが締結される螺合孔が設けられているので、貫通板に剛性をもたせるために、貫通板の板厚を厚くするなど、貫通板の製造コストが増大し、バッテリ端子が高コスト化していた。
【０００９】
そこで、この発明は、組付性を向上することができ、低コスト化することができるバッテリ端子の提供を目的としている。
【課題を解決するための手段】
【００１０】
請求項１記載の発明は、一対の板状部材を有する本体部と、前記一対の板状部材にそれぞれ設けられバッテリポストが挿通されるポスト孔と、前記一対の板状部材にそれぞれ設けられ端部から前記ポスト孔まで連通されたスリットと、前記一対の板状部材間に配置され前記スリットを挟んで前記一対の板状部材の両端部に配置されるコ字状に形成されたプレートと、前記プレートの一端側に配置され頭部が前記プレートの内部に保持されナットが締結される締結部が前記プレートの外部で前記本体部と当接可能に配置されたボルトと、前記プレートと前記ナットとの間に配置され前記ナットの締結により前記一対の板状部材を前記プレートの一端側から他端側に向けて押圧するブラケットと、前記プレートの他端側に設けられ前記一対の板状部材と係合し前記ブラケットによる前記一対の板状部材への押圧力を受け前記スリットを狭める保持部とを有することを特徴とするバッテリ端子である。
【００１１】
このバッテリ端子では、一対の板状部材間に、スリットを挟んで一対の板状部材の両端部に配置されるコ字状に形成されたプレートが配置され、プレートの一端側に、頭部がプレートの内部に保持されナットが締結される締結部がプレートの外部で本体部と当接可能に配置されたボルトが配置されている。
【００１２】
このため、プレートにボルトの締結部が締結される螺合孔を設ける必要がなく、板厚を薄くしてボルトの頭部を保持するコ字状に形成されたプレートとすることができ、プレートの製造コストを低減することができる。
【００１３】
また、プレートの一端側には、ボルトの締結部が本体部と当接可能に配置されているので、ボルトを保持したプレートが一対の板状部材間に配置された状態で、一対の板状部材間からプレートが一端側から他端側に向けて離脱することを防止することができる。
【００１４】
さらに、プレートの他端側には、一対の板状部材と係合しブラケットによる一対の板状部材への押圧力を受けスリットを狭める保持部が設けられているので、ボルトを保持したプレートが一対の板状部材間に配置された状態で、一対の板状部材間からプレートが他端側から一端側に向けて離脱することを防止することができる。
【００１５】
このため、ボルトを保持したプレートが一対の板状部材間に配置された状態では、ボルトと保持部とによって、一対の板状部材間からプレートがいずれの方向にも離脱することがなく、バッテリ端子をバッテリポストに固定する前の状態で、本体部からプレートが離脱することがない。
【００１６】
従って、このようなバッテリ端子では、組付性を向上することができ、低コスト化することができる。
【００１７】
請求項２記載の発明は、請求項１記載のバッテリ端子であって、前記プレートは、弾性変形可能に形成され、自由端側を近接する方向に変形させて前記一対の板状部材間に自由端側から挿入され、前記保持部は、前記プレートの自由端を基端側に向けて折り返してフック状にそれぞれ形成され前記プレートの復元により前記一対の板状部材間から前記プレートが離脱する方向に前記一対の板状部材に係合されていることを特徴とする。
【００１８】
このバッテリ端子では、保持部が、プレートの自由端を基端側に向けて折り返してフック状にそれぞれ形成されプレートの復元により一対の板状部材間からプレートが離脱する方向に一対の板状部材に係合されているので、簡易な構造で、ブラケットによる押圧力を受ける機能と、プレートを本体部に保持する機能とをもたせることができる。
【００１９】
請求項３記載の発明は、請求項１又は２記載のバッテリ端子であって、前記ブラケットは、前記ナットの締結により前記一対の板状部材を押圧する押圧面と、前記ナットの締結により前記押圧面に押圧力を付与するテーパ面とを有し、前記ボルトの頭部には、前記プレートの外部に配置され前記ブラケットのテーパ面と係合し前記ナットの締結力を前記押圧面の押圧力に変換する被テーパ面が設けられていることを特徴とする。
【００２０】
このバッテリ端子では、ボルトの頭部に、プレートの外部に配置されブラケットのテーパ面と係合しナットの締結力を押圧面の押圧力に変換する被テーパ面が設けられているので、プレートにブラケットのテーパ面と係合する部分を設ける必要がなく、プレートの剛性を低下させることができ、さらにプレートの製造コストを低減することができる。
【発明の効果】
【００２１】
本発明によれば、組付性を向上することができ、低コスト化することができるバッテリ端子を提供することができるという効果を奏する。
【図面の簡単な説明】
【００２２】
【図１】本発明の実施の形態に係るバッテリ端子をバッテリに組付けたときの斜視図である。
【図２】本発明の実施の形態に係るバッテリ端子の分解斜視図である。
【図３】（ａ）は本発明の実施の形態に係るバッテリ端子のプレートの上面図である。（ｂ）は図３（ａ）の斜視図である。（ｃ）は図３（ａ）の側面図である。（ｄ）は図３（ａ）の正面図である。
【図４】（ａ）は本発明の実施の形態に係るバッテリ端子のボルトの上面図である。（ｂ）は図４（ａ）の斜視図である。（ｃ）は図４（ａ）の側面図である。（ｄ）は図４（ａ）の正面図である。
【図５】（ａ）は本発明の実施の形態に係るバッテリ端子のプレートを本体部に組付ける前の上面図である。（ｂ）は図５（ａ）のＸ−Ｘ断面図である。
【図６】（ａ）は本発明の実施の形態に係るバッテリ端子のプレートを本体部に組付けているときの上面図である。（ｂ）は図６（ａ）のＹ−Ｙ断面図である。
【図７】（ａ）は本発明の実施の形態に係るバッテリ端子のプレートを本体部に組付けたときの上面図である。（ｂ）は図７のＺ−Ｚ断面図である。
【図８】（ａ），（ｂ）は図７（ｂ）の要部拡大図である。
【発明を実施するための形態】
【００２３】
図１〜図８を用いて本発明の実施の形態に係るバッテリ端子について説明する。
【００２４】
本実施の形態に係るバッテリ端子１は、一対の板状部材３，３を有する本体部５と、一対の板状部材３，３にそれぞれ設けられバッテリポスト７が挿通されるポスト孔９，９と、一対の板状部材３，３にそれぞれ設けられ端部からポスト孔９，９まで連通されたスリット１１，１１と、一対の板状部材３，３間に配置されスリット１１を挟んで一対の板状部材３，３の両端部に配置されるコ字状に形成されたプレート１３とを備えている。
【００２５】
また、プレート１３の一端側には、頭部１５がプレート１３の内部に保持されナット１７が締結される締結部１９がプレート１３の外部で本体部５と当接可能に配置されたボルト２１が配置されている。
【００２６】
さらに、プレート１３とナット１７との間には、ナット１７の締結により一対の板状部材３，３をプレート１３の一端側から他端側に向けて押圧するブラケット２３が配置されている。
【００２７】
そして、プレート１３の他端側には、一対の板状部材３，３と係合しブラケット２３による一対の板状部材３，３への押圧力を受けスリット１１を狭める保持部２５が設けられている。
【００２８】
また、プレート１３は、弾性変形可能に形成され、自由端側を近接する方向に変形させて一対の板状部材３，３間に自由端側から挿入されている。
【００２９】
そして、保持部２５は、プレート１３の自由端を基端側に向けて折り返してフック状にそれぞれ形成されプレート１３の復元により一対の板状部材３，３間からプレート１３が離脱する方向に一対の板状部材３，３に係合されている。
【００３０】
また、ブラケット２３は、ナット１７の締結により一対の板状部材３，３を押圧する押圧面２７と、ナット１７の締結により押圧面２７に押圧力を付与するテーパ面２９とを有する。
【００３１】
そして、ボルト２１の頭部１５には、プレート１３の外部に配置されブラケット２３のテーパ面２９と係合しナット１７の締結力を押圧面２７の押圧力に変換する被テーパ面３１が設けられている。
【００３２】
ここで、図１に示すように、バッテリ端子１は、例えば、バッテリ３３の上面の隅部に上面から一段低くなるように切り欠かれて形成された凹所３５に配置される。
【００３３】
このバッテリ３３の凹所３５には、バッテリポスト７が突設されており、このバッテリポスト７にバッテリ端子１が固定されることにより、バッテリ３３とバッテリ端子１とが電気的に接続される。
【００３４】
このバッテリポスト７に接続されたバッテリ端子１には、機器に接続されたヒューズユニット（不図示）の接続部や機器に接続された電線の端末部に設けられた端子（不図示）が電気的に接続され、バッテリ端子１を介してバッテリ３３と機器とが電気的に接続される。
【００３５】
以下、図１〜図８を用いてこのようなバッテリ端子１の詳細について説明する。
【００３６】
図１〜図８に示すように、バッテリ端子１は、本体部５と、プレート１３と、ボルト２１と、ブラケット２３とを備えている。
【００３７】
本体部５は、導電性材料からなり、一枚の板材に対してプレス加工や折り曲げ加工などを施すことにより、一対の板状部材３，３と、ポスト孔９，９と、スリット１１，１１と、スタッドボルト３７が保持される機器側接続部３９とを備えている。
【００３８】
一対の板状部材３，３は、一枚の板材に対して折り曲げ加工を施すことにより、連結部４１を介して連続する一部材で形成され、互いの対向面が平行となるように離間して配置されている。
【００３９】
この一対の板状部材３，３には、それぞれポスト孔９，９と、スリット１１，１１と、機器側接続部３９とが設けられている。
【００４０】
ポスト孔９，９は、離間して配置された一対の板状部材３，３の中央部に、中心を同一位置となるように一対の板状部材３，３を貫通してそれぞれ設けられている。
【００４１】
このポスト孔９，９には、バッテリ３３のバッテリポスト７が挿通され、スリット１１，１１の幅が狭められることにより、バッテリポスト７に固定されつつ、バッテリポスト７に電気的に接続される。
【００４２】
スリット１１，１１は、一対の板状部材３，３の連結部４１側の端部からポスト孔９，９に連通されており、一対の板状部材３，３のポスト孔９，９から連結部４１までの部分と連結部４１とが、幅方向に２分割させるように一対の板状部材３，３を分断している。
【００４３】
このスリット１１，１１は、一対の板状部材３，３の幅方向両側から押圧力を受けることにより、その幅が狭められ、ポスト孔９，９の径を縮小させ、バッテリポスト７にポスト孔９，９を固定させる。
【００４４】
なお、スリット１１，１１の幅方向両側に位置する一対の板状部材３，３には、一対の板状部材３，３の剛性を高めるために、打ち出し加工などによって補強部４３，４３がそれぞれ設けられている。
【００４５】
このようなスリット１１，１１の幅を狭めることによってバッテリポスト７に固定される本体部５には、機器側接続部３９が設けられている。
【００４６】
機器側接続部３９は、一方の板状部材３（ここではスタッドボルト３７の突出方向に位置する側）が他方の板状部材３側に向けて屈曲され、一対の板状部材３，３間にスタッドボルト３７が保持されている。
【００４７】
スタッドボルト３７は、頭部（不図示）が一対の板状部材３，３間に挟み込まれることによって本体部５に保持され、ナット（不図示）が締結される締結部４５が一方の板状部材３を貫通して設けられた孔から本体部５の外部に突出して配置されている。
【００４８】
このスタッドボルト３７には、機器に接続されたヒューズユニットの接続部や機器に接続された電線の端末部に設けられた端子が挿通され、締結部４５にナットを締結することにより、スタッドボルト３７に固定されつつ、電気的に接続され、バッテリ端子１を介してバッテリ３３と機器とが電気的に接続される。
【００４９】
なお、スタッドボルト３７の突出方向は、バッテリポスト７と同一方向となっているが、これに限らず、スタッドボルト３７の突出方向をバッテリポスト７と異ならせてもよく、スタッドボルト３７の突出方向は、周辺部材との干渉などを考慮して適宜選択すればよい。
【００５０】
このような本体部５のスリット１１側の一対の板状部材３，３間には、長さ方向の両端部がスリット１１を挟んで一対の板状部材３，３の幅方向の両端部側に位置するようにプレート１３が配置される。
【００５１】
プレート１３は、薄板状の導電性材料からなり、両端部が近接するように折り曲げ加工を施すことにより、連結部４７を介して連続する一部材で一対の薄板部４９，４９の互いの対向面が平行となるように離間し、一対の薄板部４９，４９が弾性変形可能となるように、全体としてコ字状に形成されている。
【００５２】
このプレート１３は、一対の薄板部４９，４９の端部（自由端）を互いに近接するように弾性変形させ、本体部５の幅方向の一側から挿入され、長さ方向の両端部がスリット１１を挟んで一対の板状部材３，３の幅方向の両端部側に位置するように、一対の板状部材３，３間に配置される。
【００５３】
このようなプレート１３の一端側である連結部４７側（基端側）には、一方の薄板部４９（ここではボルト２１の締結部１９の突出方向に位置する側）を貫通するボルト用穴５１が設けられ、一対の薄板部４９，４９間にボルト２１の頭部１５が配置される。
【００５４】
ボルト２１は、頭部１５が一対の薄板部４９，４９間に挟み込まれることによってプレート１３に保持され、ナット１７が締結される締結部１９が一方の薄板部４９のボルト用穴５１に挿通されプレート１３の外部に突出して配置されている。
【００５５】
このボルト２１は、プレート１３が本体部５に組付けられる前の状態で、頭部１５がプレート１３の一対の薄板部４９，４９に挟み込まれ、プレート１３に保持される。
【００５６】
このようにボルト２１をプレート１３に保持することにより、プレート１３にボルト２１の締結部１９が締結される螺合孔を設ける必要がない。
【００５７】
このため、従来の貫通板のように、鍛造や鋳造などによって剛性をもたせた重量の大きな高価な部材を必要とすることがなく、プレート１３のような軽量で安価な薄板状の部材とすることができる。
【００５８】
このようなプレート１３に保持されるボルト２１は、プレート１３に保持された状態で、プレート１３を本体部５に組付けることにより、本体部５の一対の板状部材３，３の幅方向の一端側にそれぞれ形成された半円状の切欠部５３，５３に対して締結部１９が当接可能に配置される。
【００５９】
このようにボルト２１の締結部１９を本体部５に対して当接可能に配置することにより、本体部５の一対の板状部材３，３間からプレート１３が長さ方向の一端側（基端側）から他端側（自由端側）に向けて離脱することを防止することができる。
【００６０】
このようなボルト２１の締結部１９が挿通された一方の薄板部４９と締結部１９に締結されるナット１７との間には、ブラケット２３が配置される。
【００６１】
ブラケット２３は、板状の導電性材料からなり、折り曲げ加工を施すことにより、プレート１３と平行な底壁５５を介して連続する一部材で一対の側壁５７，５７の互いの対向面が平行となるように離間し、全体としてコ字状に形成されている。
【００６２】
このブラケット２３の底壁５５には、ボルト２１の締結部１９が挿通され、ボルト２１の締結部１９に対してブラケット２３が本体部５の幅方向に移動可能なように、長穴状のボルト孔５９が底壁５５を貫通して設けられている。
【００６３】
このようなブラケット２３の一対の側壁５７，５７には、それぞれ押圧面２７と、テーパ面２９とが設けられている。
【００６４】
押圧面２７は、一対の側壁５７，５７の本体部５との対向面に設けられ、本体部５の一対の板状部材３，３の側面に対して平行に形成されている。
【００６５】
この押圧面２７は、ボルト２１の締結部１９にナット１７が締結されることにより、テーパ面２９によって変換されるブラケット２３の本体部５側への移動によって、本体部５の一対の板状部材３，３の側面を幅方向の一側から他側に向けて押圧する。
【００６６】
テーパ面２９は、一対の側壁５７，５７の押圧面２７と反対側の面に設けられ、底壁５５側から側壁５７の先端側に向けて傾斜して形成されている。
【００６７】
このテーパ面２９は、ボルト２１の締結部１９にナット１７が締結されることにより、ナット１７が底壁５５と当接してブラケット２３がボルト２１の締結部１９の軸方向に移動されることによって、ボルト２１の頭部１５に形成された被テーパ面３１に係合される。
【００６８】
被テーパ面３１は、プレート１３の幅方向の両側から外部に露出するボルト２１の頭部１５にそれぞれ設けられ、締結部１９側から頭部１５側に向けてテーパ面２９と同一傾斜となるように傾斜して形成されている。
【００６９】
この被テーパ面３１は、ボルト２１の締結部１９へのナット１７の締結により、ブラケット２３のテーパ面２９と係合し、ブラケット２３を本体部５側に向けて移動させ、押圧面２７に対して本体部５を押圧する押圧力を付与する。
【００７０】
このようなブラケット２３のテーパ面２９と係合する被テーパ面３１をボルト２１の頭部１５に設けることにより、プレート１３に被テーパ面３１を設ける必要がなく、プレート１３の剛性をさらに低下させ、プレート１３をより軽量で安価な部材とすることができる。
【００７１】
このようなブラケット２３が配置されるプレート１３の他端側である自由端側には、保持部２５が設けられている。
【００７２】
保持部２５は、プレート１３の一対の薄板部４９，４９にそれぞれ設けられ、一対の薄板部４９，４９の自由端を基端側（連結部４７側）に向けて折り返してフック状に形成されている。
【００７３】
この保持部２５は、プレート１３の自由端側を近接するように変形することで、本体部５の一対の板状部材３，３間に挿入され、一対の板状部材３，３間から外部に露出することによりプレート１３の復元によって一対の板状部材３，３の幅方向の他側の側面に対向して配置される。
【００７４】
この保持部２５と板状部材３の側面とが対向した状態からプレート１３を僅かに他端側（自由端側）から一端側（基端側）に向けて移動させることにより、フック状の保持部２５が板状部材３を板厚方向に挟み込むように係合される。
【００７５】
このように本体部５の一対の板状部材３，３に係合された保持部２５，２５は、ナット１７の締結によってブラケット２３で変換された本体部５への押圧力（ブラケット２３の移動力）を受ける。
【００７６】
このようにブラケット２３の押圧力を保持部２５で受けることにより、本体部５が幅方向の両側から幅方向の内側に向けて押圧され、一対の板状部材３，３に設けられたスリット１１，１１の幅が狭められ、ポスト孔９，９がバッテリポスト７を締め付け、バッテリ端子１がバッテリポスト７に固定される。
【００７７】
このような保持部２５は、ボルト２１の締結部１９にブラケット２３やナット１７を配置する前の状態で、プレート１３を本体部５に組付けることにより、本体部５の一対の板状部材３，３の側面に係合される。
【００７８】
このように保持部２５を本体部５に対して係合することにより、本体部５の一対の板状部材３，３間からプレート１３が長さ方向の他端側（自由端側）から一端側（基端側）に向けて離脱することを防止することができる。
【００７９】
ここで、保持部２５が本体部５に係合された状態では、本体部５の幅方向の一側の側面に対して、プレート１３に保持されたボルト２１の締結部１９が当接可能に配置されている。
【００８０】
このため、ボルト２１を保持したプレート１３を本体部５に組付けた状態では、ボルト２１の締結部１９と保持部２５とによって、一対の板状部材３，３間から本体部５の幅方向のいずれの方向にもプレート１３が離脱することがない。
【００８１】
加えて、本体部５にプレート１３を組付けた状態では、ボルト２１の締結部１９が本体部５の外部に突出しており、ボルト２１の締結部１９に対してブラケット２３を容易に組付けることができる。
【００８２】
従って、本体部５からのプレート１３の脱落を防止でき、ブラケット２３の組付けも容易であるので、組付性を向上することができる。
【００８３】
このようなバッテリ端子１の組付けは、まず、プレート１３にボルト２１を保持させる。
【００８４】
次に、ボルト２１が保持されたプレート１３の自由端側が近接するように変形させ、一対の板状部材３，３間に挿入させ、プレート１３の復元により保持部２５，２５を一対の板状部材３，３に係合させ、プレート１３を本体部５に組付ける。
【００８５】
そして、ボルト２１の締結部１９にブラケット２３のボルト孔５９を挿通し、締結部１９の先端にナット１７をある程度締結させ、ブラケット２３をナット１７とプレート１３との間に配置させ、バッテリ端子１の組付けを完了する。
【００８６】
このように組付けられたバッテリ端子１のバッテリ３３への組付けは、まず、バッテリポスト７にポスト孔９，９を挿通させ、バッテリ端子１をバッテリ３３に配置させる。
【００８７】
そして、ナット１７を締結することにより、スリット１１，１１の幅を狭めてポスト孔９，９をバッテリポスト７に締め付け、バッテリ端子１をバッテリ３３に固定し、バッテリ端子１のバッテリ３３への組付けを完了する。
【００８８】
このようなバッテリ端子１では、一対の板状部材３，３間に、スリット１１，１１を挟んで一対の板状部材３，３の両端部に配置されるコ字状に形成されたプレート１３が配置され、プレート１３の一端側に、頭部１５がプレート１３の内部に保持されナット１７が締結される締結部１９がプレート１３の外部で本体部５と当接可能に配置されたボルト２１が配置されている。
【００８９】
このため、プレート１３にボルト２１の締結部１９が締結される螺合孔を設ける必要がなく、板厚を薄くしてボルト２１の頭部１５を保持するコ字状に形成されたプレート１３とすることができ、プレート１３の製造コストを低減することができる。
【００９０】
また、プレート１３の一端側には、ボルト２１の締結部１９が本体部５と当接可能に配置されているので、ボルト２１を保持したプレート１３が一対の板状部材３，３間に配置された状態で、一対の板状部材３，３間からプレート１３が一端側から他端側に向けて離脱することを防止することができる。
【００９１】
さらに、プレート１３の他端側には、一対の板状部材３，３と係合しブラケット２３による一対の板状部材３，３への押圧力を受けスリット１１，１１を狭める保持部２５が設けられているので、ボルト２１を保持したプレート１３が一対の板状部材３，３間に配置された状態で、一対の板状部材３，３間からプレート１３が他端側から一端側に向けて離脱することを防止することができる。
【００９２】
このため、ボルト２１を保持したプレート１３が一対の板状部材３，３間に配置された状態では、ボルト２１と保持部２５とによって、一対の板状部材３，３間からプレート１３がいずれの方向にも離脱することがなく、バッテリ端子１をバッテリポスト７に固定する前の状態で、本体部５からプレート１３が離脱することがない。
【００９３】
従って、このようなバッテリ端子１では、組付性を向上することができ、低コスト化することができる。
【００９４】
また、保持部２５は、プレート１３の自由端を基端側に向けて折り返してフック状にそれぞれ形成されプレート１３の復元により一対の板状部材３，３間からプレート１３が離脱する方向に一対の板状部材３，３に係合されているので、簡易な構造で、ブラケット２３による押圧力を受ける機能と、プレート１３を本体部５に保持する機能とをもたせることができる。
【００９５】
さらに、ボルト２１の頭部１５には、プレート１３の外部に配置されブラケット２３のテーパ面２９と係合しナット１７の締結力を押圧面２７の押圧力に変換する被テーパ面３１が設けられているので、プレート１３にブラケット２３のテーパ面２９と係合する部分を設ける必要がなく、プレート１３の剛性を低下させることができ、さらにプレート１３の製造コストを低減することができる。
【００９６】
なお、本発明の実施の形態に係るバッテリ端子では、ブラケットのテーパ面に係合する被テーパ面がボルトの頭部に設けられているが、これに限らず、プレートの基端側は比較的剛性が高いので、ブラケットのテーパ面に係合する被テーパ面をプレートに設けてもよい。
【符号の説明】
【００９７】
１…バッテリ端子
３…板状部材
５…本体部
７…バッテリポスト
９…ポスト孔
１１…スリット
１３…プレート
１５…頭部
１７…ナット
１９…締結部
２１…ボルト
２３…ブラケット
２５…保持部
２７…押圧面
２９…テーパ面
３１…被テーパ面
【図１】
2019121525.tif 000003
【図２】
2019121525.tif 000004
【図３】
2019121525.tif 000005
【図４】
2019121525.tif 000006
【図５】
2019121525.tif 000007
【図６】
2019121525.tif 000008
【図７】
2019121525.tif 000009
【図８】
2019121525.tif 000010